(57)【特許請求の範囲】
【請求項１】
地盤中に汚染層が存在する地盤に、揚水井、及び土壌微生物又は土壌微生物の栄養源を配合した砂杭又は礫杭を適宜のピッチで造成し、揚水井により地下水を汲み上げ、該汲み上げ水を前記砂杭又は礫杭に供給し循環させ、砂杭又は礫杭中の土壌微生物又は土壌微生物の栄養源を汚染地盤に拡散させることを特徴とする汚染地盤の浄化方法。
【請求項２】
前記揚水井による地下水の汲み上げを、前記揚水井内に設置される上下移動式ポンプで行うことを特徴とする請求項１記載の汚染地盤の浄化方法。
【請求項３】
前記揚水井の上方から下方に向けて前記上下移動式ポンプを順次移動させて行うことを特徴とする請求項２記載の汚染地盤の浄化方法。
【請求項４】
前記揚水井により汲み上げられた地下水を曝気槽で曝気した後、該曝気された地下水を前記砂杭又は礫杭に供給し循環させることを特徴とする請求項１〜３記載の汚染地盤の浄化方法。
【請求項５】
前記汚染層が存在する地盤を止水壁で包囲して行うことを特徴とする請求項１〜４記載の汚染地盤の浄化方法。
【発明の詳細な説明】
【０００１】
【発明の属する技術分野】
本発明は、地盤中に存在する汚染層に土壌微生物又は土壌微生物の栄養源を均一に分布させて土壌微生物の汚染物質分解作用を効率的に行わせる汚染地盤の浄化方法に関するものである。
【０００２】
【従来の技術】
従来、石油系炭化水素や重金属で汚染された地盤中の汚染層を浄化する方法として、土壌中に普遍的に存在する土壌微生物の炭化水素分解作用を利用したバイオレメディエーション技術が知られている。このバイオレメディエーション技術により汚染地盤を浄化（修復）する方法は、通常、処理ヤードの通気管布設、浄化装置の設置、汚染範囲の掘削、栄養塩の混合、処理ヤードの盛土、通気運転、モニタリングの順序で行われる。
【０００３】
また、石油汚染土壌に対して、窒素源、及びリン源の水溶液を混和あるいは注入して行い、必要により、同時に汚染土壌に空気を供給するか、その表面をシートなどで被覆して行う石油汚染土壌の修復方法が提案されている（特開平９−２７６８３１号公報）。この方法によれば、石油汚染土壌中の土壌微生物の炭化水素分解速度を著しく増大させ、効率よく石油汚染土壌を浄化、修復することができる。
【０００４】
【発明が解決しようとする課題】
しかしながら、上記バイオレメディエーション技術や石油汚染土壌の修復方法は、有用な技術としてそれなりの効果を奏してはいるものの、土壌微生物が汚染土壌に均等に分布されているとは言い難く、窒素源やリン源の水溶液の混和や注入に至っては、汚染土壌に散布しながら攪拌装置で土壌と混和攪拌したり、地中にボーリングを行い、加圧注入して混和するなど、大掛かりな装置を使用するわりには十分な混合がされているとは言い難い。更に、土壌微生物やその栄養源が均等に分布されていないことから、汚染土壌の修復日数は数カ月から半年にも及ぶことが通常であり、修復コストを上昇させるという問題があった。
【０００５】
従って、本発明の目的は、地盤中の汚染層に土壌微生物やその栄養源を効率よく、且つ均一に分布させ、土壌微生物の汚染物質分解活性を高めて、効率よく汚染土壌を浄化する汚染地盤の浄化方法を提供することにある。
【０００６】
【課題を解決するための手段】
かかる実情において、本発明者らは鋭意検討を行った結果、地盤中に汚染層が存在する地盤に、揚水井、及び土壌微生物又はその栄養源を配合した砂杭又は礫杭を適宜のピッチで造成し、揚水井により地下水を汲み上げ、該汲み上げ水を砂杭又は礫杭に供給し循環させれば、砂杭又は礫杭中の土壌微生物又はその栄養源を汚染地盤に効率よく、且つ均一に拡散させることができることを見出し、本発明を完成するに至った。
【０００７】
すなわち、請求項１の発明は、地盤中に汚染層が存在する地盤に、揚水井、及び土壌微生物又は土壌微生物の栄養源を配合した砂杭又は礫杭を適宜のピッチで造成し、揚水井により地下水を汲み上げ、該汲み上げ水を前記砂杭又は礫杭に供給し循環させ、砂杭又は礫杭中の土壌微生物又は土壌微生物の栄養源を汚染地盤に拡散させる汚染地盤の浄化方法を提供するものである。かかる構成を採ることにより、汚染土壌に土壌微生物又はその栄養源を効率よく、且つ均一に拡散させることができる。また、土壌微生物は砂杭又は礫杭を造成する際、別途に配合されるものであるため、汚染物質の種類に最適な微生物を選択的に多く配合することもでき、浄化効率を高めることができる。また、地下水の汲み上げ水をモニタリングすれば、汚染土壌に土壌微生物やその栄養源が行き渡ったか否かを判断できるため、土壌微生物や栄養源の拡散を確認できる。
【０００８】
また、請求項２の発明は、前記揚水井による地下水の汲み上げを、前記揚水井内に設置される上下移動式ポンプで行う汚染地盤の浄化方法を提供するものである。かかる構成を採ることにより、地下水位以下の地盤中の深くまで汚染層が存在している場合であっても、前記発明と同様の効果を奏する。
【０００９】
また、請求項３の発明は、前記揚水井の上方から下方に向けて前記上下移動式ポンプを順次移動させて行う汚染地盤の浄化方法を提供するものである。かかる構成を採ることにより、地下水位以下の地盤中の深くまで汚染層が存在している場合、先ず、深度方向の適宜の深さに上下移動式ポンプを設置し、当該ポンプの設置位置より上方部分の汚染層を浄化し、次いで、更に深度方向の適宜の深さに上下移動式ポンプを下降させ設置し、当該ポンプの設置位置より上方部分で未浄化汚染層の浄化を行い、これを順次繰り返して行う、いわゆる分割浄化を行えば、汚染土壌に土壌微生物やその栄養源を深度方向に対しても効率よく、且つ均一に分布させることができる。
【００１０】
また、請求項４の発明は、前記揚水井により汲み上げられた地下水を曝気槽で曝気した後、該曝気された地下水を前記砂杭又は礫杭に供給し循環させる汚染地盤の浄化方法を提供するものである。かかる構成を採ることにより、曝気された地下水は砂杭や礫杭を介して、汚染土壌に循環され、土壌を好気性に保つことができ、土壌微生物の働きをより活性化させることができる。
【００１１】
また、請求項５の発明は、前記汚染層が存在する地盤を止水壁で包囲して行う汚染地盤の浄化方法を提供するものである。かかる構成を採ることにより、汚染土壌内の地下水の循環が効率的に行われるため、土壌微生物やその栄養源の均一分布を効率的に行わせることができる。
【００１２】
【発明の実施の形態】
本発明の実施の形態における汚染地盤の浄化方法を図１〜図３を参照して説明する。図１は汚染地盤領域の概略平面図、図２はその一部の概略断面図、図３は汚染層の深度方向に行う分割浄化を説明するための模式図をそれぞれ示す。なお、図１中の矢印は地盤中の循環地下水の流れ方向を示す。
【００１３】
図１中、破線で示される汚染層Ｙが存在する地盤に、揚水井２、及び土壌微生物又は土壌微生物の栄養源を配合した砂杭又は礫杭１（以下、単に「砂杭等」とも言う）が適宜のピッチで造成される。揚水井２及び砂杭等１の造成位置や造成数は、特に制限されないが、図１に示すように、揚水井２の周りを砂杭等１が囲むような配置とし、且つ砂杭等１から４つの揚水井２への地下水の流れが汚染層Ｙ全体に渡り均等となるようにするのがよい。また、揚水井２及び砂杭等１の地盤の深さ方向の長さは、図３に示すように汚染層の深さＺと同等深さか、それより以深である。
【００１４】
砂杭等１の造成工法は公知の工法であって、中空管を地盤中の所定の深度まで貫入した後、地表まで引き抜く過程で、管内に投入された砂等を排出して砂杭等を造成するサンドドレーン工法が適用できる。砂杭等１の造成に使用される砂や礫としては、粗粒な材料であればよく、例えば、粗粒な建設発生土や粗粒な良質砂などの砂類、礫類及び砕石などが挙げられる。管内に投入される砂や礫は、予め、土壌微生物又は土壌微生物の栄養源が混合されたものが使用される。具体的には、砂や礫と土壌微生物の混合物、砂や礫と土壌微生物の栄養源との混合物、砂や礫と土壌微生物と土壌微生物の栄養源との混合物である。砂杭等中の土壌微生物や土壌微生物の栄養源の濃度は、汚染物質の種類、汚染層の汚染度合い及びその他の土壌環境等により適宜に決定される。また、土壌微生物の栄養源としては、硝酸アンモニウム及びリン酸水素カリウム等が挙げられる。所定のピッチで多数造成された砂杭等１は、次いで、地下水供給管１２が配置される。地下水供給管１２の砂杭等１への設置は、地下水吸水管４１から送水される地下水を砂杭等１の内部に供給できるように設置される。
【００１５】
揚水井２の設備としては、公知のものでよく、例えば、揚水管の側面に深さ方向に適宜の間隔で縦孔２１を設けた有孔揚水管２２に、上下移動式ポンプ４を設置したものが使用できる。上下移動式ポンプ４は、有孔揚水管２２内を上下移動自在に設置されるもので、上下移動式ポンプ４の下方からの地下水の吸い込みを遮断するシール部４２と、汲み上げた地下水を砂杭等１に供給する地下水吸水管４１とを備える。これにより、有孔揚水管２２内の所定の位置に設置された上下移動式ポンプ４は、その設置位置より上方の地下水を汲み上げることができる。地下水吸水管４１は多数（図１の場合で８個）に分岐して砂杭等１に設置された地下水供給管１２に接続される。また、必要に応じて、地下水吸水管４１と地下水供給管１２との接続管系に、汲み上げられた地下水を曝気する曝気装置や土壌微生物や土壌微生物の栄養源を循環地下水に投入する供給装置や循環地下水をモニタリングするモニタリング設備などを設置してもよい。なお、図１中、記号３は止水壁である。
【００１６】
次に、本発明の汚染地盤の浄化方法の一例について説明する。すなわち、汚染範囲Ｚにある汚染層を汚染範囲ａＡｂＢを浄化する第１工程、汚染範囲ａＢｂｄＣｃを浄化する第２工程、汚染範囲ｃＣｄｆＤｅを浄化する第３工程を順次行う分割浄化方法について説明する（図３）。先ず、深度方向の適宜の深さＢに上下移動式ポンプ４を設置し起動すると、該ポンプ４より上方部分の地下水が汲み上げられ、該汲み上げ水は地下水吸水管４１、地下水供給管１２を通って砂杭等１に供給される。砂杭等１に供給された地下水は、砂杭等１中のａ及びｂ近傍に分布する土壌微生物又は土壌微生物の栄養源を取り込みつつ、揚水井２の上下移動式ポンプ４の吸引力で砂杭等１と揚水井２間の汚染層にしみ込み、図２中の矢印Ｘで示される流れを形成して循環される。暫くの間、この循環を継続すると、地下水の水位は図３中、ａＢｂで示される水位をとるようになる。更に地下水吸水管４１に接続されるモニタリング装置（不図示）により、土壌微生物やその栄養源の所定濃度を感知すれば、汚染範囲ａＡｂＢに土壌微生物やその栄養源の均一な分布を確認でき、この時点で上下移動式ポンプ４を停止するか、又は下方に移動させて第２工程へと進み第１工程を終了する。
【００１７】
第２工程において、上下移動式ポンプ４は第１工程の設置位置Ｂから更に深い所定の深さＣに下降させて設置し起動される。上下移動式ポンプ４より上方部分ａＢｂｄＣｃの地下水が汲み上げられ、該汲み上げ水は地下水吸水管４１、地下水供給管１２を通って、砂杭等１に供給される。砂杭等１に供給された地下水は、砂杭等１中のａｃ間及びｂｄ間に分布する土壌微生物又は土壌微生物の栄養源を取り込みつつ、揚水井２の上下移動式ポンプ４の吸引力で砂杭等１と揚水井２間の汚染層にしみ込み、第１工程と同様にその流れを形成して循環される。暫くの間、この循環を継続すると、地下水の水位は図３中、ｃＣｄで示される水位をとるようになる。更に地下水吸水管４１に接続されるモニタリング装置により、土壌微生物やその栄養源の所定濃度を感知すれば、汚染範囲ａＢｂｄＣｃに土壌微生物やその栄養源の均一な分布を確認でき、この時点で上下移動式ポンプ４を停止するか、又は更に下方に移動させて第３工程へと進み第２工程を終了する。
【００１８】
第３工程において、上下移動式ポンプ４は第２工程の設置位置Ｃから更に深い所定の深さＤに移動し設置して起動される。第１及び第２工程と同様、上下移動式ポンプ４より上方部分ｃＣｄｆＤｅの地下水が汲み上げられ、該汲み上げ水は地下水吸水管４１、地下水供給管１２を通って、砂杭等１に供給される。砂杭等１に供給された地下水は、砂杭等１中のｃｅ間及びｄｆ間に分布する土壌微生物又は土壌微生物の栄養源を取り込みつつ、揚水井２の上下移動式ポンプ４の吸引力で砂杭等１と揚水井２間の汚染層にしみ込み、第１工程と同様にその流れを形成して循環される。暫くの間、この循環を継続すると、地下水の水位は図３中、ｅＤｆで示される水位をとるようになる。更に地下水吸水管４１に接続されるモニタリング装置により、土壌微生物やその栄養源の所定濃度を感知すれば、汚染範囲ｃＣｄｆＤｅに土壌微生物やその栄養源の均一な分布を確認でき、この時点で上下移動式ポンプ４を停止して第３工程を終了する。
【００１９】
本実施の形態例の汚染地盤の浄化方法によれば、図１に示すように、複数の揚水井２、及び揚水井２を囲むように造成される複数の砂杭等１を平面視の汚染領域Ｙ内で適宜のピッチでバランス良く配置するため、循環地下水の流れが汚染領域Ｙ内で均等に行われ、水平方向において土壌微生物やその栄養源を均一に分布することができ、更に、図３に示すように、上下移動式ポンプ２を使用して深さ方向への浄化を上方から下方に向けて順次行うため、深度方向において土壌微生物やその栄養源を均一に分布することができる。その結果、汚染層Ｙ、Ｚで形成される領域全てに、均一且つ効率よく土壌微生物やその栄養源を分布させることができる。
【００２０】
汚染層Ｙ、Ｚに土壌微生物やその栄養源を均一に分布させた後は、暫く放置することにより、均一に分布する土壌微生物が汚染物質を分解して汚染層は浄化される。
【００２１】
本実施の形態例の汚染地盤の浄化方法においては、上記方法の他、地下水吸水管４１又は地下水供給管１２の配管系に曝気槽を接続し、曝気された地下水を砂杭等１に供給するようにしてもよい。これにより、曝気された地下水は砂杭等１を介して、汚染土壌に循環され、土壌を好気性に保つことができ、土壌微生物の働きをより活性化させることができる。また、地下水吸水管４１又は地下水供給管１２の配管系に土壌微生物やその栄養源を循環地下水に注入する装置を設置し、土壌微生物やその栄養源が添加された地下水を砂杭等１に供給するようにしてもよい。これにより、土壌微生物やその栄養源が添加された地下水は砂杭等１を通って汚染層に到達するため、土壌微生物やその栄養源の濃度調整などが可能となる。また、汚染層が地盤の地下水位以下の比較的浅い部分にあるような場合（図３中、ＡＢ間）、上下移動式ポンプでは無く通常のポンプをＢの位置に設置して浄化を行うだけであってもよい。この１回の浄化工程でもＡＢ間の汚染層に土壌微生物やその栄養源を均一に分布させることができる。
【００２２】
【発明の効果】
請求項１の発明によれば、汚染土壌に土壌微生物又はその栄養源を効率よく、且つ均一に拡散させることができる。また、土壌微生物は砂杭又は礫杭を造成する際、別途に配合されるものであるため、汚染物質の種類に最適な微生物を選択的に多く配合することもでき、浄化効率を高めることができる。また、地下水の汲み上げ水をモニタリングすれば、汚染土壌に土壌微生物やその栄養源が行き渡ったか否かを判断できるため、土壌微生物や栄養源の拡散を確認できる。
【００２３】
また、請求項２の発明によれば、地下水位以下の地盤中の深くまで汚染層が存在している場合であっても、前記発明と同様の効果を奏する。
また、請求項３の発明によれば、地下水位以下の地盤中の深くまで汚染層が存在している場合であっても、先ず、深度方向の適宜の深さに上下移動式ポンプを設置し、当該ポンプの設置位置より上方部分の汚染層を浄化し、次いで、更に深度方向の適宜の深さに上下移動式ポンプを下降させ設置し、当該ポンプの設置位置より上方部分で未浄化汚染層の浄化を行い、これを順次繰り返して行う、いわゆる分割浄化を行えば、汚染土壌に土壌微生物やその栄養源を深度方向に対しても効率よく、且つ均一に分布させることができる。
【００２４】
また、請求項４の発明によれば、曝気された地下水は砂杭や礫杭を介して、汚染土壌に循環され、土壌を好気性に保つことができ、土壌微生物の働きをより活性化させることができる。
【００２５】
また、請求項５の発明によれば、汚染土壌内の地下水の循環が効率的に行われるため、土壌微生物やその栄養源の均一分布を効率的に行わせることができる。
【図面の簡単な説明】
【図１】汚染地盤領域の概略平面図である。
【図２】図１の一部の概略断面図である。
【図３】汚染層の深度方向に行う分割浄化を説明するための模式図である。
【符号の説明】
１          砂杭又は礫杭
２          揚水井
３          止水壁
４          上下移動式ポンプ
１１          砂又は礫
１２          地下水供給管
２１          縦孔
２２          有孔揚水管
４１          地下水吸水管
４２          シール部
Ｘ          循環地下水の流れ
Ｙ、Ｚ          汚染領域（汚染層）
ＷＬ１        自然の地下水位
【図１】
0003658302.tif 000002
【図２】
0003658302.tif 000003
【図３】
0003658302.tif 000004